(57)【特許請求の範囲】
【請求項１】
入力された複合映像信号から輝度信号を低域通過ろ波して出力する第１の低域通過ろ波手段と、
上記第１の低域通過ろ波手段から出力される輝度信号に従って所定の搬送波信号をＦＭ変調して、変調後のＦＭ変調輝度信号を出力する変調手段と、
上記入力された複合映像信号から色副搬送波信号を帯域通過ろ波して出力する帯域通過ろ波手段と、
上記帯域通過ろ波手段から出力される色副搬送波信号を、所定の副搬送波周波数を有する低域変換色信号に周波数変換して出力する周波数変換手段と、
上記変調手段から出力されるＦＭ変調輝度信号と、上記周波数変換手段から出力される低域変換色信号とを含む記録信号を記録する記録手段と、
上記帯域通過ろ波手段から出力される色副搬送波信号に基づいて、キラー状態であるか否かを判断して、キラー状態であるときに、低域変換色信号が上記周波数変換手段から上記記録手段に出力されないように制御するスイッチ手段とを備え、
上記記録信号を記録するビデオテープレコーダの記録回路に設けられるテレビジョン方式判別装置において、
上記低域変換色信号の副搬送波周波数よりも高い第１の共振周波数と、上記低域変換色信号の副搬送波周波数よりも低い第２の共振周波数とを選択的に切り換えて設定可能な共振回路を有するタンク回路と、
上記タンク回路から出力される信号を９０度だけ移相して出力する移相手段と、
上記周波数変換手段から出力される低域変換色信号と、上記移相手段から出力される信号とを位相比較し、その位相誤差信号を出力する位相比較器と、
上記位相比較器から出力される位相誤差信号を低域通過ろ波することにより平滑化して出力する第２の低域通過ろ波手段と、
上記第２の低域通過ろ波手段から出力される信号に基づいて、上記入力された複合映像信号に含まれる色副搬送波信号の副搬送波周波数が約３．５８ＭＨｚであるか約４．４３ＭＨｚであるかを判別する判別手段とを備えたことを特徴とするテレビジョン方式判別装置。
【請求項２】
上記第１の低域通過ろ波手段から出力される輝度信号から水平同期信号を分離して抽出する信号分離手段と、
上記信号分離手段によって分離された水平同期信号に基づいて、上記入力された複合映像信号に含まれる色副搬送波信号のカラーバースト信号の期間を示すパルス信号を発生して上記位相比較器に出力する信号発生手段とを備え、
上記位相比較器は、上記パルス信号によって示される期間のみ位相比較を行うことを特徴とする請求項１記載のテレビジョン方式判別装置。
【請求項３】
上記第２の低域通過ろ波手段は、上記帯域通過ろ波手段から出力される信号に色副搬送波信号が含まれていないときに、上記第２の低域通過ろ波手段から出力される信号の極性が所定の極性に保持されるように、リーク電流を流すための抵抗を備えたことを特徴とする請求項１又は２記載のテレビジョン方式判別装置。
【発明の詳細な説明】
【０００１】
【発明の属する技術分野】
本発明は、ビデオテープレコーダ（以下、ＶＴＲという。）の記録回路において、色副搬送波信号の副搬送波周波数が約３．５８ＭＨｚであるか約４．４３ＭＨｚであるかを自動的に判別するためのテレビジョン方式判別装置に関する。
【０００２】
【従来の技術】
近年、アジア地域や欧州地域においては、映像信号としてＰＡＬ方式だけでなく、ＮＴＳＣ方式にも対応した多方式対応のＶＴＲが開発され販売されている。また、多方式対応のＶＴＲにおいては、映像信号のテレビジョン方式を自動的に判別するための方式判別回路が備えられている。以下に、従来技術の方式判別回路を備えたＶＴＲの記録回路について説明する。
【０００３】
図４は、特開平８−１４０１０８号公報に記載された、従来技術の方式判別回路２９を備えたＶＴＲの記録回路のブロック図である。特に、アジア地域では、約３．５８ＭＨｚ又は約４．４３ＭＨｚの副搬送波周波数の色副搬送波信号を有するＮＴＳＣ方式の映像信号が存在し、図４の記録回路は、その映像信号に含まれる色副搬送波信号の副搬送波周波数が約３．５８ＭＨｚであるか約４．４３ＭＨｚであるかを判別する方式判別回路２９を備えたことを特徴としている。
【０００４】
図４において、１は入力端子、２は帯域通過フィルタ（以下、ＢＰＦという。）、３は自動色信号制御回路（以下、ＡＣＣという。）、４は平衡変調器（以下、ＢＭという。）、５は低域通過フィルタ（以下、ＬＰＦという。）、６はスイッチ、７は加算器、８はＬＰＦ、９はＦＭ変調器、１０は高域通過フィルタ（以下、ＨＰＦという。）、１２は１／４分周器、１３は電圧制御型発振器（以下、ＶＣＯという。）、１９は位相比較器、２０はＬＰＦ、２１は電圧制御型可変水晶発振器（以下、ＶＸＯという。）、２２，２３は水晶発振子、２４は９０度移相器、２５は位相比較器、２６はＬＰＦ、２７はキラー判別回路、２８はモノマルチバイブレータ、２９は方式判別回路、４１は記録アンプ、４２は記録ヘッド、４３は磁気テープである。
【０００５】
図４において、輝度信号と、色副搬送波信号とを含む複合映像信号が入力端子１を介してＢＰＦ２及びＬＰＦ８に入力される。ＢＰＦ２は、方式判別回路２９の判別結果を示す制御信号に従って、その通過帯域の中心周波数を３．５８ＭＨｚ又は４．４３ＭＨｚに切り換え可能であって、入力端子１を介して入力される複合映像信号から色副搬送波信号を帯域ろ波した後、ＡＣＣ３に出力する。ＡＣＣ３は、入力された色副搬送波信号のカラーバースト信号の振幅が一定になるように制御して、制御後の色副搬送波信号をＢＭ４に出力する。ＢＭ４は、入力された色副搬送波信号を、１／４分周器１２からの局部発振信号を用いて平衡変調することにより、低域変換色信号に周波数変換した後、周波数変換された低域変換色信号を、周波数変換の際に生じる不要周波数成分を除去するＬＰＦ５及びスイッチ回路６を介して加算器７に出力する。ここで、ＢＭ４及びＬＰＦ５は色副搬送波信号の低域変換のための周波数変換回路を構成している。
【０００６】
一方、ＬＰＦ８は、入力された複合映像信号から色副搬送波信号を除去して輝度信号のみを低域ろ波して、ろ波後の輝度信号をＦＭ変調器９に出力する。このため、ＬＰＦ８の利得周波数特性は、図５に示すように、方式判別回路２９の判別結果を示す制御信号に従って、そのトラップ周波数ｆｔが３．５８ＭＨｚ又は４．４３ＭＨｚに切り換えられる。ＦＭ変調器９は、所定の搬送波信号を、入力される輝度信号に従ってＦＭ変調して、ＦＭ変調輝度信号を、低域の不要な周波数成分を除去するＨＰＦ１０を介して加算器７に出力する。加算器７は、入力されるＦＭ変調輝度信号と、低域変換色信号とを加算して、加算結果の記録信号を、記録アンプ４１を介して記録ヘッド４２に出力することにより、当該記録信号を磁気テープ４３に記録する。
【０００７】
ＶＣＯ１３はその発振信号の中心周波数が１６．８４ＭＨｚ又は２０．２４ＭＨｚに切り換え可能であって、方式判別回路２９の判別結果を示す制御信号に従って、色副搬送波信号の副搬送波周波数が約３．５８ＭＨｚの場合には当該中心周波数が１６．８４ＭＨｚに設定される一方、色副搬送波信号の副搬送波周波数が約４．４３ＭＨｚの場合には当該中心周波数が２０．２４ＭＨｚに設定され、設定された中心周波数を有する発振信号を１／４分周器１２を介してＢＭ４に、低域変換色信号の搬送波信号となる局部発振信号として出力する。ここで、色副搬送波信号の副搬送波周波数が約３．５８ＭＨｚの場合には、低域変換色信号の搬送波周波数は約４．２１ＭＨｚとなる一方、色副搬送波信号の副搬送波周波数が約４．４３ＭＨｚの場合には、低域変換色信号の搬送波周波数は５．０６ＭＨｚとなる。
【０００８】
ＶＸＯ２１には、約３．５８ＭＨｚの発振周波数を有する水晶発振子２２と、約４．４３ＭＨｚの発振周波数を有する水晶発振子２３とがスイッチ２１ａを介して接続され、方式判別回路２９の判別結果を示す制御信号に従って、２つの水晶２２，２３のうちの一方が選択的にスイッチ２１ａを介して接続されるように構成されて、発振回路が形成され、ＶＸＯ２１は、約３．５８ＭＨｚ又は約４．４３ＭＨｚの発振周波数を有する発振信号を発生して、位相比較器１９及び２５に出力する。位相比較器１９は、ＶＸＯ２１からの発振信号と、ＡＣＣ３からの色副搬送波信号のカラーバースト信号とを位相比較し、その位相誤差信号を、信号の平滑処理を行うＬＰＦ２０を介してＶＸＯ２１に出力することにより、ＶＸＯ２１によって発振される発振信号の発振周波数及び位相を制御する。これにより、ＶＸＯ２１によって発振される発振信号は、ＡＣＣ３から出力される色副搬送波信号のカラーバースト信号と位相同期する。
【０００９】
そして、ＶＸＯ２１によって発振される発振信号は、９０度移相器２４によってその位相が９０度だけ移相された後、位相比較器２５に入力される。位相比較器２５は、９０度移相器２４からの信号と、ＡＣＣ３からの色副搬送波信号のカラーバースト信号とを位相比較して、その位相誤差信号を、信号の平滑処理を行うＬＰＦ２６を介してキラー判別回路２７に出力する。キラー判別回路２７は、ＬＰＦ２６の出力電圧に基づいて、色副搬送波信号の有無及びカラーバースト信号とＶＸＯ２１の発振信号との間の位相同期を判別し、色副搬送波信号が無くかつカラーバースト信号とＶＸＯ２１の発振信号との間の位相同期が確立されていない状態（以下、キラー状態という。）には、Ｌレベルの判定信号をスイッチ６の制御端子に出力することにより、スイッチ６をオフ状態にするように制御する。これにより、キラー状態では、ＦＭ変調輝度信号のみが加算器７から記録アンプ４１を介して記録ヘッド４２に出力されることにより、当該ＦＭ変調輝度信号のみを含む記録信号が磁気テープ４３に記録される。また、キラー判別回路２７からのＬレベルの判定信号はモノマルチバイブレータ２８に出力され、このとき、モノマルチバイブレータ２８は２秒毎に出力信号を反転させて、当該出力信号を方式判別回路２９に出力する。
【００１０】
次いで、キラー状態からキラー状態でない状態（以下、カラー状態という。）に移行した場合には、モノマルチバイブレータ２８は、その時点の出力極性を保持する。方式判別回路２９は、モノマルチバイブレータ２８からの出力信号の極性に基づいて、入力端子１に入力された複合映像信号に含まれる色副搬送波信号の副搬送波周波数が約３．５８ＭＨｚであるか約４．４３ＭＨｚであるかを判定する。判別回路２９は、その判定結果を示す制御信号をＬＰＦ８、ＢＰＦ２、ＶＸＯ２１のスイッチ２１ａ及びＶＣＯ１３に出力して制御する。ここで、方式判別回路２９が約３．５８ＭＨｚの副搬送波周波数と判定したとき、Ｈレベルの制御信号を出力することにより、
（ａ）ＬＰＦ８のトラップ周波数ｆｔを３．５８ＭＨｚに切り換え、
（ｂ）ＢＰＦ２の通過帯域の中心周波数を３．５８ＭＨｚに切り換え、
（ｃ）ＶＸＯ２１のスイッチ２１ａをａ側に切り換えて、発振周波数３．５８ＭＨｚの水晶発振子２２をＶＸＯ２１に接続し、かつ、
（ｄ）ＶＣＯ１３の発振中心周波数を１６．８４ＭＨｚに切り換える。
一方、方式判別回路２９が約４．４３ＭＨｚの副搬送波周波数と判定したとき、Ｌレベルの制御信号を出力することにより、
（ａ）ＬＰＦ８のトラップ周波数ｆｔを４．４３ＭＨｚに切り換え、
（ｂ）ＢＰＦ２の通過帯域の中心周波数を４．４３ＭＨｚに切り換え、
（ｃ）ＶＸＯ２１のスイッチ２１ａをｂ側に切り換えて、発振周波数４．４３ＭＨｚの水晶発振子２３をＶＸＯ２１に接続し、かつ、
（ｄ）ＶＣＯ１３の発振中心周波数を２０．２４ＭＨｚに切り換える。
【００１１】
以上のように構成された従来技術のＶＴＲの記録回路においては、入力された複合映像信号に含まれる色副搬送波信号の副搬送波周波数と、方式判別回路２９の判定結果とが一致している場合には、色副搬送波信号のカラーバースト信号と、ＶＸＯ２１によって発生される発振信号とが位相同期する一方、色副搬送波信号の副搬送波周波数と、方式判別回路２９の判定結果とが一致していない場合には、色副搬送波信号のカラーバースト信号と、ＶＸＯ２１によって発生される発振信号とが位相同期しないことを利用して、モノマルチバイブレータ２８が位相同期した時点の結果を保持することにより、方式判別回路２９は、色副搬送波信号の副搬送波周波数が約３．５８ＭＨｚであるか約４．４３ＭＨｚであるかを判別できる。
【００１２】
【発明が解決しようとする課題】
しかしながら、上記の従来技術のＶＴＲの記録回路においては、電源立ち上げと同時に記録を開始するタイマー記録のような場合において、色副搬送波信号の副搬送波周波数と、方式判別回路２９の判別結果が不一致の場合には２秒間、スイッチ６がオフとされて低域変換色信号が磁気テープ４３に記録されないという問題点（以下、第１の問題点という。）があった。
【００１３】
また、図４に示すＶＴＲの記録回路においては、入力端子１を介して白黒信号が入力された場合には、キラー判別回路２７はキラー状態を保持する。このため、方式判別回路２９からの制御信号は２秒毎に、３．５８ＭＨｚと４．４３ＭＨｚの判別結果をそれぞれ示す２つのレベルの制御信号が交互に出力されるように繰り返されることになる。このとき、低域変換色信号はスイッチ６がオフ状態となるため、記録ヘッド４２に出力されず、低域色信号に対しては、上記２つのレベルの制御信号が２秒毎に交互に出力されるように繰り返す影響を与えない。一方、輝度信号については、ＬＰＦ８の利得周波数特性が図５に示すように切り換わるために、２秒毎に通過帯域が異なることとなる。このため、この記録信号を再生すると２秒毎に画面が切り換わっているように見え、使用者に不快感を与えるという問題点（以下、第２の問題点という。）があった。
【００１４】
本発明の第１の目的は、上記の第１の問題点を解決し、電源立ち上げ時にも即座に、入力された複合映像信号に含まれる色副搬送波信号の副搬送波周波数が約３．５８ＭＨｚであるか約４．４３ＭＨｚであるかを判別できるテレビジョン方式判別装置を提供することにある。
【００１５】
本発明の第２の目的は、上記の第２の問題点を解決し、記録信号を再生したときに、２秒毎に画面が切り換わっているように見えて使用者に不快感を与えることを防止することができるテレビジョン方式判別装置を提供することにある。
【００１６】
【課題を解決するための手段】
本発明に係る請求項１記載のテレビジョン方式判別装置は、入力された複合映像信号から輝度信号を低域通過ろ波して出力する第１の低域通過ろ波手段と、
上記第１の低域通過ろ波手段から出力される輝度信号に従って所定の搬送波信号をＦＭ変調して、変調後のＦＭ変調輝度信号を出力する変調手段と、
上記入力された複合映像信号から色副搬送波信号を帯域通過ろ波して出力する帯域通過ろ波手段と、
上記帯域通過ろ波手段から出力される色副搬送波信号を、所定の副搬送波周波数を有する低域変換色信号に周波数変換して出力する周波数変換手段と、
上記変調手段から出力されるＦＭ変調輝度信号と、上記周波数変換手段から出力される低域変換色信号とを含む記録信号を記録する記録手段と、
上記帯域通過ろ波手段から出力される色副搬送波信号に基づいて、キラー状態であるか否かを判断して、キラー状態であるときに、低域変換色信号が上記周波数変換手段から上記記録手段に出力されないように制御するスイッチ手段とを備え、
上記記録信号を記録するビデオテープレコーダの記録回路に設けられるテレビジョン方式判別装置において、
上記低域変換色信号の副搬送波周波数よりも高い第１の共振周波数と、上記低域変換色信号の副搬送波周波数よりも低い第２の共振周波数とを選択的に切り換えて設定可能な共振回路を有するタンク回路と、
上記タンク回路から出力される信号を９０度だけ移相して出力する移相手段と、
上記周波数変換手段から出力される低域変換色信号と、上記移相手段から出力される信号とを位相比較し、その位相誤差信号を出力する位相比較器と、
上記位相比較器から出力される位相誤差信号を低域通過ろ波することにより平滑化して出力する第２の低域通過ろ波手段と、
上記第２の低域通過ろ波手段から出力される信号に基づいて、上記入力された複合映像信号に含まれる色副搬送波信号の副搬送波周波数が約３．５８ＭＨｚであるか約４．４３ＭＨｚであるかを判別する判別手段とを備えたことを特徴とする。
【００１７】
また、請求項２記載のテレビジョン方式判別装置は、請求項１記載のテレビジョン方式判別装置において、上記第１の低域通過ろ波手段から出力される輝度信号から水平同期信号を分離して抽出する信号分離手段と、
上記信号分離手段によって分離された水平同期信号に基づいて、上記入力された複合映像信号に含まれる色副搬送波信号のカラーバースト信号の期間を示すパルス信号を発生して上記位相比較器に出力する信号発生手段とを備え、
上記位相比較器は、上記パルス信号によって示される期間のみ位相比較を行うことを特徴とする。
【００１８】
さらに、請求項３記載のテレビジョン方式判別装置は、請求項１又は２記載のテレビジョン方式判別装置において、上記第２の低域通過ろ波手段は、上記帯域通過ろ波手段から出力される信号に色副搬送波信号が含まれていないときに、上記第２の低域通過ろ波手段から出力される信号の極性が所定の極性に保持されるように、リーク電流を流すための抵抗を備えたことを特徴とする。
【００１９】
【発明の実施の形態】
以下、図面を参照して本発明に係る一実施形態について説明する。
【００２０】
図１は、本発明に係る一実施形態であるテレビジョン方式判別回路５０を備えたＶＴＲの記録回路のブロック図であり、図１において、図４と同様のものについては同一の符号を付している。この実施形態のＶＴＲの記録回路は、図４に示す従来技術と比較して、以下の点が異なる。
（ａ）モノマルチバイブレータ２８及び方式判別回路２９を備えず、タンク回路１４、９０度移相器１５、位相比較器１６、ＬＰＦ１７及び方式判別回路１８を備えて構成されたテレビジョン方式判別回路５０を備えたこと。
（ｂ）位相比較器１６に対して色副搬送波信号のカラーバースト信号の期間を示すバーストタイミングパルスを検出して出力するために、水平同期信号分離回路３１とモノマルチバイブレータ３２とを備えたこと。
以下、上記相違点について詳述する。
【００２１】
図１において、タンク回路１４は、例えばインダクタとキャパシタとからなる並列共振回路で構成され、方式判別回路１８からの制御信号に基づいて、例えば、キャパシタの定数を変化することにより、並列共振回路の共振周波数を変化させる。具体的には、タンク回路１４は、色副搬送波信号の副搬送波周波数が約３．５８ＭＨｚのときにおける、方式判別回路１８からのＨレベルの制御信号に基づいて、上記並列共振回路の共振周波数が５１０ｋＨｚに設定される一方、色副搬送波信号の副搬送波周波数が約４．４３ＭＨｚのときにおける、方式判別回路１８からのＬレベルの制御信号に基づいて、上記並列共振回路の共振周波数が７４０ｋＨｚに設定される。
【００２２】
当該タンク回路１４の利得周波数特性及び位相周波数特性を図２に示す。図２から明らかなように、タンク回路１４の共振周波数において位相が−９０度から＋９０度へ変化することがわかる。また、タンク回路１４の出力端子に接続された９０度移相器１５は、図２に示す少なくとも１．８ＭＨｚまでの帯域において＋９０度の移相特性を有し、タンク回路１４からの出力信号を＋９０度だけ移相して位相比較器１６に出力する。従って、タンク回路１４と９０度移相器１５とを含む回路の位相周波数特性は、タンク回路１４の共振周波数において０度から＋１８０度へと変化する。
【００２３】
一方、ＬＰＦ８から出力される輝度信号は水平同期信号分離回路３１に入力され、水平同期信号分離回路３１は、入力される輝度信号から水平同期信号を分離抽出してモノマルチバイブレータ３２に出力する。モノマルチバイブレータ３２は、入力される水平同期信号に応答して、入力端子１を介して入力される複合映像信号に含まれる色副搬送波信号のカラーバースト信号の信号期間と実質的に同一の期間を有するＨレベルのバーストタイミングパルスを発生して位相比較器１６に出力する。
【００２４】
本実施形態において、ＬＰＦ５から出力される低域変換色信号の副搬送波周波数は、色副搬送波信号の副搬送波周波数が約３．５８ＭＨｚの場合でも、約４．４３ＭＨｚの場合でも約６３０ｋＨｚとなる。位相比較器１６は、ＬＰＦ５からの出力信号と、ＬＰＦ５からの出力信号をタンク回路１４と９０度移相器１５を通過させたときの出力信号とを、モノマルチバイブレータ３２からのバーストタイミングパルスによって示されるカラーバースト信号期間において位相比較処理を実行する。いま、位相比較器１６への２つの入力信号の位相差をθとすると、位相比較器１６からの位相誤差信号は、ｃｏｓθで表される。
【００２５】
色副搬送波信号の副搬送波周波数が約３．５８ＭＨｚの場合には、タンク回路１４の共振周波数は５１０ｋＨｚであるため、位相比較器１６に入力される低域変換色信号の副搬送波周波数である約６３０ｋＨｚにおける位相差は１８０度となり、位相比較器１６からの位相誤差信号は負極性となる。一方、色副搬送波信号の副搬送波周波数が約４．４３ＭＨｚの場合には、タンク回路１４の共振周波数は７４０ｋＨｚであるため、位相比較器１６に入力される低域変換色信号の副搬送波周波数である約６３０ｋＨｚにおける位相差は０度となり、位相比較器１６からの位相誤差信号は正極性となる。ＬＰＦ１７は、位相比較器１６からの位相誤差信号を平滑して方式判別回路１８に出力する。方式判別回路１８は、ＬＰＦ１７からの出力信号の出力電圧が負極性の場合には色副搬送波信号の副搬送波周波数が３．５８ＭＨｚと判別する一方、ＬＰＦ１７からの出力信号の出力電圧が正極性の場合には色副搬送波信号の副搬送波周波数が４．４３ＭＨｚと判別する。
【００２６】
ここで、方式判別回路１８が約３．５８ＭＨｚの副搬送波周波数と判定したとき、Ｈレベルの制御信号を出力することにより、
（ａ）ＬＰＦ８のトラップ周波数ｆｔを３．５８ＭＨｚに切り換え、
（ｂ）ＢＰＦ２の通過帯域の中心周波数を３．５８ＭＨｚに切り換え、
（ｃ）ＶＸＯ２１のスイッチ２１ａをａ側に切り換えて、発振周波数３．５８ＭＨｚの水晶発振子２２をＶＸＯ２１に接続し、
（ｄ）ＶＣＯ１３の発振中心周波数を１６．８４ＭＨｚに切り換え、かつ、
（ｅ）タンク回路１４の共振周波数を５１０ｋＨｚに設定する。
一方、方式判別回路１８が約４．４３ＭＨｚの副搬送波周波数と判定したとき、Ｌレベルの制御信号を出力することにより、
（ａ）ＬＰＦ８のトラップ周波数ｆｔを４．４３ＭＨｚに切り換え、
（ｂ）ＢＰＦ２の通過帯域の中心周波数を４．４３ＭＨｚに切り換え、
（ｃ）ＶＸＯ２１のスイッチ２１ａをｂ側に切り換えて、発振周波数４．４３ＭＨｚの水晶発振子２３をＶＸＯ２１に接続し、
（ｄ）ＶＣＯ１３の発振中心周波数を２０．２４ＭＨｚに切り換え、かつ、
（ｅ）タンク回路１４の共振周波数を７４０ｋＨｚに設定する。
【００２７】
従って、入力された複合映像信号に含まれる色副搬送波信号の副搬送波周波数と、方式判別回路１８の判別結果が一致している場合には、その判別結果が保持される。
【００２８】
次いで、判別結果が不一致の場合について説明する。いま、方式判別回路１８の判別結果の副搬送波周波数が３．５８ＭＨｚである場合において、入力された色副搬送波信号の副搬送波周波数が約４．４３ＭＨｚの場合、ＡＣＣ３からの色副搬送波信号の搬送波周波数は約４．４３ＭＨｚとなり、１／４分周器１２からの出力信号の周波数は約４．２１ＭＨｚとなる。従って、ＢＭ４から出力される出力信号の周波数は約２２０ｋＨｚと約８．６４ＭＨｚとなる。このとき、ＬＰＦ５は高域の約８．６４ＭＨｚの周波数成分を除去し、除去後の出力信号の周波数成分は、約２２０ｋＨｚのみとなる。これにより、位相比較器１６への入力信号の周波数成分は約２２０ｋＨｚとなるが、タンク回路１４の共振周波数は５１０ｋＨｚに設定されているため、位相比較器１６への２つの入力信号の位相差は０度となり、位相比較器１６からの位相誤差信号は正極性となり、ＬＰＦ１７からの出力信号の出力電圧も正極性となるため、方式判別回路１８の判別結果は４．４３ＭＨｚへとシフトし、Ｌレベルの制御信号を出力する。
【００２９】
一方、方式判別回路１８の判別結果が４．４３ＭＨｚを示している場合において、色副搬送波信号の副搬送波周波数が約３．５８ＭＨｚの場合、ＡＣＣ３からの出力信号の周波数は約３．５８ＭＨｚとなり、１／４分周器１２からの出力信号の周波数は約５．０６ＭＨｚとなり、ＢＭ４からの出力信号の周波数成分は約１．４８ＭＨｚと約８．６４ＭＨｚとなる。このとき、ＬＰＦ５は高域の約８．６４ＭＨｚの周波数成分を除去し、除去後の出力信号の周波数成分は約１．４８ＭＨｚのみとなる。このとき、ＬＰＦ５から位相比較器１６への入力信号の周波数は約１．４８ＭＨｚとなるが、タンク回路１４の共振周波数は７４０ｋＨｚに設定されているため、位相比較器１６への２つの入力信号の位相差は＋１８０度となる。従って、位相比較器１６からの位相誤差信号は負極性となり、ＬＰＦ１７からの出力信号の出力電圧も負極性となるため、方式判別回路１８の判別結果は３．５８ＭＨｚへとシフトする。従って、入力された複合映像信号に含まれる色副搬送波信号の副搬送波周波数と、方式判別回路１８の判別結果が不一致の場合には、その判別結果が即座に反転することがわかる。これにより、電源立ち上げ時などにおいても即座に判別することが可能となる。すなわち、本実施形態のテレビジョン方式判別回路５０は、従来技術の項で説明した第１の問題点を解決することができる。
【００３０】
さらに、従来技術の項で説明した第２の問題点を解決するための方法について説明する。図３は、ＬＰＦ１７の具体的な回路を示す。図３において、ＬＰＦ１７は、キャパシタＣ１と、リーク電流を流すための抵抗Ｒ１とが並列接続された回路で構成される。ここで、抵抗Ｒ１によるリーク電流は、位相比較器１６の出力誤差電流に影響を与えないように、位相比較器１６の出力電流の平均値の１／１００以下に設定される。抵抗Ｒ１を用いてリーク電流を流す理由は、以下の通りである。入力信号として白黒信号が入力された場合には、位相比較器１６の入力信号は存在せず、位相比較器１６の出力信号も無くなる。このとき、抵抗Ｒ１が存在しないとＬＰＦ１７の出力電圧は不定となり、判別結果が安定しなくなり、位相比較器１６からの出力電圧が０Ｖを中心として正極性と負極性との間でふらつくようになる。これを防止するために、抵抗Ｒ１により、例えば、正極性にプルアップさせることにより、ＬＰＦ１７の出力電圧は、正極性側で安定する。これによって、白黒信号の入力時には、方式判別回路１８は、副搬送波周波数が４．４３ＭＨｚであるという判別結果を保持する。従って、本実施形態のＬＰＦ１７は、従来技術の項で説明した第２の問題点を解決することができる。
【００３１】
以上説明したように本実施形態によれば、テレビジョン方式判別回路５０を備えたので、入力された複合映像信号に含まれる色副搬送波信号の副搬送波周波数が３．５８ＭＨｚであるか４．４３ＭＨｚであるかを即座に判別することができる。また、ＬＰＦ１７は、位相比較器１６の出力が不定となるときにその出力誤差電圧がふらつくことを防止するために、リーク電流を流すための抵抗Ｒ１を備えたので、入力信号として白黒信号が入力された場合には、方式判別回路１８の判別結果の副搬送波周波数を４．４３ＭＨｚに固定することができる。
【００３２】
以上の実施形態において、位相比較器１６は、モノマルチバイブレータ３２からのバーストタイミングパルスによって示される期間にのみ位相比較処理を実行しているが、本発明はこれに限らず、常時位相比較処理を実行するようにしてもよい。
【００３３】
【発明の効果】
以上詳述したように本発明に係る請求項１記載のテレビジョン方式判別装置においては、入力された複合映像信号から輝度信号を低域通過ろ波して出力する第１の低域通過ろ波手段と、
上記第１の低域通過ろ波手段から出力される輝度信号に従って所定の搬送波信号をＦＭ変調して、変調後のＦＭ変調輝度信号を出力する変調手段と、
上記入力された複合映像信号から色副搬送波信号を帯域通過ろ波して出力する帯域通過ろ波手段と、
上記帯域通過ろ波手段から出力される色副搬送波信号を、所定の副搬送波周波数を有する低域変換色信号に周波数変換して出力する周波数変換手段と、
上記変調手段から出力されるＦＭ変調輝度信号と、上記周波数変換手段から出力される低域変換色信号とを含む記録信号を記録する記録手段と、
上記帯域通過ろ波手段から出力される色副搬送波信号に基づいて、キラー状態であるか否かを判断して、キラー状態であるときに、低域変換色信号が上記周波数変換手段から上記記録手段に出力されないように制御するスイッチ手段とを備え、
上記記録信号を記録するビデオテープレコーダの記録回路に設けられるテレビジョン方式判別装置において、
上記低域変換色信号の副搬送波周波数よりも高い第１の共振周波数と、上記低域変換色信号の副搬送波周波数よりも低い第２の共振周波数とを選択的に切り換えて設定可能な共振回路を有するタンク回路と、
上記タンク回路から出力される信号を９０度だけ移相して出力する移相手段と、
上記周波数変換手段から出力される低域変換色信号と、上記移相手段から出力される信号とを位相比較し、その位相誤差信号を出力する位相比較器と、
上記位相比較器から出力される位相誤差信号を低域通過ろ波することにより平滑化して出力する第２の低域通過ろ波手段と、
上記第２の低域通過ろ波手段から出力される信号に基づいて、上記入力された複合映像信号に含まれる色副搬送波信号の副搬送波周波数が約３．５８ＭＨｚであるか約４．４３ＭＨｚであるかを判別する判別手段とを備える。
従って、上記入力された複合映像信号に含まれる色副搬送波信号の副搬送波周波数が約３．５８ＭＨｚであるか約４．４３ＭＨｚであるかを判別する判別時間を従来技術に比較して短縮して即座に判別することができる。
【００３４】
また、請求項２記載のテレビジョン方式判別装置においては、請求項１記載のテレビジョン方式判別装置において、上記第１の低域通過ろ波手段から出力される輝度信号から水平同期信号を分離して抽出する信号分離手段と、
上記信号分離手段によって分離された水平同期信号に基づいて、上記入力された複合映像信号に含まれる色副搬送波信号のカラーバースト信号の期間を示すパルス信号を発生して上記位相比較器に出力する信号発生手段とを備え、
上記位相比較器は、上記パルス信号によって示される期間のみ位相比較を行う。
従って、上記位相比較器は、上記入力された複合映像信号に含まれる色副搬送波信号のカラーバースト信号の期間のみ位相比較を行って、さらに、上記判別手段は、位相比較結果である位相誤差信号を低域通過ろ波された信号に基づいて、上記入力された複合映像信号に含まれる色副搬送波信号の副搬送波周波数が約３．５８ＭＨｚであるか約４．４３ＭＨｚであるかをより正確に判別することができる。
【００３５】
さらに、請求項３記載のテレビジョン方式判別装置においては、請求項１又は２記載のテレビジョン方式判別装置において、上記第２の低域通過ろ波手段は、上記帯域通過ろ波手段から出力される信号に色副搬送波信号が含まれていないときに、上記第２の低域通過ろ波手段から出力される信号の極性が所定の極性に保持されるように、リーク電流を流すための抵抗を備える。
従って、上記の第２の問題点を解決し、記録信号を再生したときに、２秒毎に画面が切り換わっているように見えて使用者に不快感を与えることを防止することができる。
【図面の簡単な説明】
【図１】  本発明に係る一実施形態であるテレビジョン方式判別回路５０を備えたＶＴＲの記録回路のブロック図である。
【図２】  図１のタンク回路１４の周波数特性を示すグラフである。
【図３】  図１のＬＰＦ１７の回路図である。
【図４】  従来技術の方式判別回路２９を備えたＶＴＲの記録回路のブロック図である。
【図５】  図４のＬＰＦ８の利得周波数特性を示すグラフである。
【符号の説明】
１…入力端子、
２…低域通過フィルタ（ＢＰＦ）、
３…自動色信号制御回路（ＡＣＣ）、
４…平衡変調器（ＢＭ）、
５，８，１７，２０，２６…低域通過フィルタ（ＬＰＦ）、
６，２１ａ…スイッチ、
７…加算器、
９…ＦＭ変調器、
１０…高域通過フィルタ（ＨＰＦ）、
１２…１／４分周器、
１３…電圧制御型発振器（ＶＣＯ）、
１４…タンク回路、
１５，２４…９０度移相器、
１６，１９，２５…位相比較器、
１８…方式判別回路、
２１…電圧制御型可変水晶発振器（ＶＸＯ）、
２２，２３…水晶発振子、
２７…キラー判別回路、
３１…水平同期信号分離回路、
３２…モノマルチバイブレータ、
４１…記録アンプ、
４２…記録ヘッド、
４３…磁気テープ、
５０…テレビジョン方式判別回路。
【図１】
0003856944.tif 000002
【図２】
0003856944.tif 000003
【図３】
0003856944.tif 000004
【図４】
0003856944.tif 000005
【図５】
0003856944.tif 000006